(57)【特許請求の範囲】
【請求項１】
１枚の底板と、相対向させる２枚の側板と、相対向させる２枚の端板と、１枚の蓋板とから構成し、少なくとも前記底板と前記端板との会合部に上下方向の移動を規制する係合部を設け、前記側板の端部下部に内方に向けて突出部を形成するとともに、前記端板の下部の幅を、前記底板に立設した状態の側板間の距離よりも僅かに小さく形成し、かつ前記端板の上部の幅を、前記側板間の距離よりも大きく形成し、前記底板に少なくとも外方への移動が規制される状態で立設した側板間に、前記端板を傾斜させながらその下部を差し込み、前記端板の係合部を前記底板の係合部に係合させた状態で、前記端板の外方への移動が前記側板の突出部によって規制され、前記側板の端面上部によって、前記端板の内方への移動が規制されるように組み付けることを特徴とする、発泡合成樹脂製梱包箱。
【請求項２】
前記底板の周縁に上方に向けて底板フランジを突設し、該底板フランジの内周面に前記底板の係合部を形成し、前記端板の下面に下方に向けて下部フランジを突設し、該下部フランジの外面に前記端板の係合部を形成したことを特徴とする、請求項１に記載の発泡合成樹脂製梱包箱。
【請求項３】
前記側板の下面に下方に向けて下部フランジを突設し、該下部フランジの外面に係合部を形成し、該側板の係合部に係合する係合部を、前記底板フランジの内周面にさらに形成したことを特徴とする、請求項２に記載の発泡合成樹脂製梱包箱。
【請求項４】
前記側板の上面に上方に向けて上部フランジを突設し、前記端板の上面にも上方に向けて上部フランジを突設し、前記蓋板の周縁に下方に向けて蓋板フランジを突設し、該蓋板フランジを前記側板の上部フランジおよび前記端板の上部フランジに嵌合させて蓋板を組み付けることを特徴とする、請求項１〜３のいずれかに記載の発泡合成樹脂製梱包箱。
【発明の詳細な説明】
【技術分野】
【０００１】
本発明は、発泡合成樹脂製梱包箱に関するもので、詳しくは、組立て式の発泡合成樹脂製梱包箱に関するものである。
【背景技術】
【０００２】
発泡合成樹脂によって形成された組立て式の梱包箱は、従来より各種のものが提供されている（例えば、特許文献１）。
この特許文献１に記載された発泡合成樹脂製梱包箱は、底板の周縁に高さの異なるフランジを立設し、それらのフランジに側壁を粘着テープ，ヒンジ等によって内側に折り畳み可能に結合させ、使用する場合には、側壁を立ち上げ、側壁の端部に形成した係止手段（凸部）を隣合う側壁の端部に形成した係止手段（凹部）に挿嵌させるとともに、段溝にフランジ部を当接させて側壁の内側への転倒を防いでいる。
【０００３】
【特許文献１】特開２００１−７２０５７号公報（図１０および図１１参照）
【発明の開示】
【発明が解決しようとする課題】
【０００４】
しかし、上記した特許文献１に記載された発泡合成樹脂製梱包箱では、折り畳みを可能にするために、側壁の高さを全て異なるものとしている。そのため、部品点数が多くなり、たくさんの成形金型が必要となるものであった。また、側壁が粘着テープ，ヒンジ等によって底板に取付けられているため、それらの組立て或いは解体が容易なものではなかった。
【０００５】
本発明は、上述した背景技術が有する実情に鑑みて成されたものであって、その目的は、部品点数を少なくし、大型化，深物化を容易にするとともに、部品交換も容易とし、しかも、簡易な作業で組立ておよび解体が可能な発泡合成樹脂製梱包箱を提供することにある。
【課題を解決するための手段】
【０００６】
上記した目的を達成するため、請求項１の発泡合成樹脂製梱包箱は、１枚の底板と、相対向させる２枚の側板と、相対向させる２枚の端板と、１枚の蓋板とから構成し、少なくとも上記底板と上記端板との会合部に上下方向の移動を規制する係合部を設け、上記側板の端部下部に内方に向けて突出部を形成するとともに、上記端板の下部の幅を、上記底板に立設した状態の側板間の距離よりも僅かに小さく形成し、かつ上記端板の上部の幅を、上記側板間の距離よりも大きく形成し、上記底板に少なくとも外方への移動が規制される状態で立設した側板間に、上記端板を傾斜させながらその下部を差し込み、上記端板の係合部を上記底板の係合部に係合させた状態で、上記端板の外方への移動が上記側板の突出部によって規制され、上記側板の端面上部によって、上記端板の内方への移動が規制されるように組み付けることを特徴とする。
【０００７】
また、請求項２の発泡合成樹脂製梱包箱は、上記請求項１の発明において、上記底板の周縁に上方に向けて底板フランジを突設し、該底板フランジの内周面に上記底板の係合部を形成し、上記端板の下面に下方に向けて下部フランジを突設し、該下部フランジの外面に上記端板の係合部を形成したことを特徴とする。
【０００８】
さらに、請求項３の発泡合成樹脂製梱包箱は、上記請求項２の発明において、上記側板の下面に下方に向けて下部フランジを突設し、該下部フランジの外面に係合部を形成し、該側板の係合部に係合する係合部を、上記底板フランジの内周面にさらに形成したことを特徴とする。
【０００９】
また、請求項４の発泡合成樹脂製梱包箱は、上記請求項１〜３のいずれかの発明において、上記側板の上面に上方に向けて上部フランジを突設し、上記端板の上面にも上方に向けて上部フランジを突設し、上記蓋板の周縁に下方に向けて蓋板フランジを突設し、該蓋板フランジを上記側板の上部フランジおよび上記端板の上部フランジに嵌合させて蓋板を組み付けるようにしたことを特徴とする。
【発明の効果】
【００１０】
上記した請求項１の本発明に係る発泡合成樹脂製梱包箱によれば、相対向させる２枚の側板および２枚の端板を各々同一形状に形成することができ、部品点数の減少が図れるとともに、梱包箱の大型化，深物化を容易に実現することができる。また、底板、側板、端板および蓋板のいずれかが破損した場合に、その破損した部材のみを交換すればよく、補修が容易となる。さらに、端板の下部が側板間に介在されるので、側板が内方へ倒れ込むことなく底板に保持され、また端板が側板の突出部によって外方へ倒れ込むことなく規制されるので、組み付け状態が確実に維持されるとともに、その組み付けおよび解体作業が容易なものとなる。
【００１１】
また、上記した請求項２の本発明に係る発泡合成樹脂製梱包箱によれば、上下方向の移動を規制する係合部を底板と端板との会合部に容易に形成でき、しかも、端板の外方への移動が底板フランジにより規制され、かつ底板と端板とが面一になる係合を実現することができる。
【００１２】
また、上記した請求項３の本発明に係る発泡合成樹脂製梱包箱によれば、底板と側板との係合部も容易に形成でき、しかも、側板の外方への移動が底板フランジにより規制され、かつ底板と側板とが面一になる係合を実現することができる。
【００１３】
また、上記した請求項４の本発明に係る発泡合成樹脂製梱包箱によれば、側板および端板の外方への移動が蓋板フランジにより規制され、かつ側板および端板と蓋板とが面一になる組み付けを実現することができる。
【００１４】
ここで、上記本発明に係る発泡合成樹脂製梱包箱は、さらに上記底板に組み付けた状態の上記側板および上記端板の外側面にベルトを周回させ、該ベルトを締結させて、上記側板と上記端板とを結束する構成とすることにより、さらに組み付け状態を確実なものとすることができる。
【００１５】
また、上記本発明に係る発泡合成樹脂製梱包箱は、上記ベルトを、一端部にリングを備え、他端部に面ファスナを備えたものとすることにより、ベルトの長さを自由に調整することができ、側板および端板をより容易に、かつ固く結束することができる。
【００１６】
また、上記本発明に係る発泡合成樹脂製梱包箱は、上記側板の外面および上記端板の外面の同一高さに、幅方向に延びるベルト収容凹条を形成することにより、該ベルト収容凹条にベルトを収容でき、ベルトが上下方向にずれる憂いはなく、しかも外面から外方へベルトを突出させることなく装着することができる。
【００１７】
また、上記本発明に係る発泡合成樹脂製梱包箱は、上記底板、上記側板、上記端板および上記蓋板の表面に、微細な突起を形成することにより、保管，運搬等に際して、表面に形成した該突起によって摩擦抵抗が大きくなり、重ねた場合にズレることがなく、また運搬に際して手が滑ることがなくなる。
【００１８】
また、上記本発明に係る発泡合成樹脂製梱包箱は、上記側板の外面、上記端板の外面および上記蓋板の上面の少なくともいずれかに、凹部を形成することにより、該凹部内にシールを貼ったり印刷を施したりすることにより、該シール、印刷等がこすれることがなく、剥がれる憂いが無くなる。
【００１９】
また、上記本発明に係る発泡合成樹脂製梱包箱は、上記底板、上記側板、上記端板および上記蓋板を、見掛け密度が０．１〜０．０３ｇ／ｃｍ3のポリオレフィン系樹脂発泡粒子成形体によって形成することにより、軽量で、しかも堅牢な発泡合成樹脂製梱包箱を提供でき、繰り返し使用が充分に可能なものとなる。
【００２０】
また、上記本発明に係る発泡合成樹脂製梱包箱は、上記底板、上記側板、上記端板および上記蓋板を形成する発泡合成樹脂材料に、帯電防止剤を添加することにより、形成される梱包箱の帯電が防止され、塵埃の付着が低減される。
【発明を実施するための最良の形態】
【００２１】
以下、上記した本発明に係る発泡合成樹脂製梱包箱の実施の形態を、図面を参照しながら詳細に説明する。
なお、図１は、本発明に係る発泡合成樹脂製梱包箱の組立て状態を示した斜視図、図２は、本発明に係る発泡合成樹脂製梱包箱の分解状態を示した斜視図である。また、図３は、図１におけるＡ−Ａ線に沿う部分の断面図、図４は、図１におけるＢ−Ｂ線に沿う部分の断面図、図５は、図１におけるＣ−Ｃ線に沿う部分の断面図、図６は、図１におけるＤ−Ｄ線に沿う部分の断面図、そして、図７は、図１におけるＥ−Ｅ線に沿う部分の断面図である。また、図８は、本発明に係る発泡合成樹脂製梱包箱の表面に形成された微細な突起を拡大して示した図である。
【００２２】
図示した発泡合成樹脂製梱包箱１は、底板２、側板３，３、端板４，４、および蓋板５によって構成され、さらに、ベルト６を備えている。
【００２３】
上記底板２は、図２に示すように、周縁に上方に突出する底板フランジ２ａを有している。そして、底板フランジ２ａの内面には、その全周に亘り、適宜間隔をもって内方に突出する突出片２ｂが形成され、該突出片２ｂと底面（上面）との間に、図３に示すように、凹部２ｃが画成されている。
【００２４】
上記側板３は、同じく図２に示すように、それぞれの端面が、その中間に形成された外方に向けて下方に傾斜する傾斜面３ａと、該傾斜面３ａの上端から上方に延びる上部端面３ｂと、傾斜面３ａの下端から下方に延びる下部端面３ｃとによって形成されている。そして、側板３の端部下部には、内方に向けて突出する突出部３ｄが形成されている。
【００２５】
また、上記側板３の下面には、下方に延びる下部フランジ３ｅが形成され、該下部フランジ３ｅの外面には、図３に示すように、凸部３ｆが形成されている。また、この側板３の上面には、上方に向けて上部フランジ３ｇが形成され、上部端面３ｂには、幅方向外方に向かって端部フランジ３ｈが形成されている。さらにまた、この側板３の外面には、上部に幅方向全長に亘ってベルト収容凹条３ｉが形成されており、該ベルト収納凹部３ｉの上下位置には、矩形状の凹部３ｊ，３ｋが形成されている。
【００２６】
上記端板４は、図２に示すように、それぞれの端面が、上部端面４ａと、下部端面４ｂとによって形成されている。そして、上部端面４ａ，４ａ間の幅は、組付けられた状態における側板３，３間の距離よりも広く設定されいる。
【００２７】
また、上記端板４の上部端面４ａの下端部には、内面から外面に向けて下方に傾斜する傾斜面４ｃが形成されている。また、端板４の下面には、下方に延びる下部フランジ４ｄが形成され、該下部フランジ４ｄの外面には、図４に示すように、凸部４ｅが形成されている。さらに、この端板４の上面には、上方に向けて上部フランジ４ｆが形成され、端板４の下部端面４ｂには、図２に示すように、幅方向外方に延びる端部フランジ４ｇが形成されている。そして、端部フランジ４ｇ，４ｇ間の幅は、側板３，３間の距離より僅かに小さく設定されている。
【００２８】
また、この端板４の外面には、上部に幅方向全長に亘ってベルト収容凹条４ｈが形成されており、該ベルト収容凹条４ｈの上下位置には、矩形状の凹部４ｉ，４ｊが形成されている。さらに、端板４の内面には、その両端部上部に縦溝４ｋが形成されている。
【００２９】
上記蓋板５は、同じく図２に示すように、周縁に下方に突出する蓋板フランジ５ａを有しており、さらに図３等に示すように、外面（上面）に凹部５ｂが形成されている。
【００３０】
上記底板２、側板３、端板４および蓋板５は、発泡合成樹脂、好ましくは、見掛け密度が０．１〜０．０３ｇ／ｃｍ3のポリオレフィン系樹脂発泡粒子に帯電防止剤を含浸または塗布して型成形することにより形成されている。
なお、発泡合成樹脂の見掛け密度は、通常０．０１５〜０．３ｇ／ｃｍ3である。
【００３１】
上記合成樹脂としては、ポリスチレン系樹脂、ポリオレフィン樹脂変性ポリスチレン系樹脂、ポリオレフィン系樹脂等が挙げられる。上記ポリオレフィン系樹脂としては、ポリエチレン系樹脂、ポリプロピレン系樹脂等が挙げられ、これらのポリオレフィン系樹脂は、表面硬度が低く柔軟性に優れ、収納物の表面保護に優れることから好ましい。また、上記帯電防止剤としては、例えば、ヒドロキシアルキルアミン，ヒドロキシアルキルモノエーテルアミン，グリセリン脂肪酸エステル等のノニオン系界面活性剤、アルキルスルホン酸塩，アルキルベンゼンスルホン酸塩等のアニオン系界面活性剤、テトラアルキルアンモニウム塩，トリアルキルベンジルアンモニウム塩等のカチオン系界面活性剤、ポリマー型帯電防止剤等が挙げられ、これらの帯電防止剤は、単独または混合して使用することができる。
【００３２】
また、上記型成形に際して、上記底板２、側板３、端板４および蓋板５の表面には、図８（ａ），（ｂ）に示すような、微細な突起７が形成される。
【００３３】
一方、ベルト６は、図２に示すように、一端にリング６ａが配設され、他端に面ファスナー６ｂが配設されている。
【００３４】
上記のように形成された底板２、側板３，３、端板４，４、蓋板５、さらにはベルト６を用いて、発泡合成樹脂製梱包箱１を組み立てるにあたっては、次のようにして行う。
【００３５】
先ず、底板２のフランジ２ａの凹部２ｃに、側板３の凸部３ｆを嵌入させながら、両側板３，３を底板２に立設する（図３参照）。次いで、端板４を傾けてその下部を側板３，３間に差し込み、該端板４を起こしながら凸部４ｅを底板２の凹部２ｃに嵌め込む（図４参照）。すると、図５に示すように、端板４の傾斜面４ｃが側板３の傾斜面３ａに当接し、また、図６に示すように、端板４の縦溝４ｋは側板３の端部フランジ３ｈに嵌まり込む。この状態においては、図７に示すように、側板３の突出部３ｄが端板４のフランジ４ｇと当接し、端板４と側板３との係合が確実になる。
【００３６】
次いで、側板３のベルト収容凹条３ｉおよび端板４のベルト収容凹条４ｈにベルト６を回し、端部をリング６ａに挿通させて折り返し、面ファスナー６ｂを接合させることによって締結し、側板３と端板４とを結束し、上部が開口した発泡合成樹脂製梱包箱１を形成する。
なお、上記ベルト６を使用せず、梱包箱上面の角部に側板３と端板４とを固定する固定具（図示せず）等により、側板３と端板４を確実に拘束させてもよい。
【００３７】
このようにして組み付けられた発泡合成樹脂製梱包箱１内に、収納物を入れ、側板３の上部フランジ３ｇおよび端板４の上部フランジ４ｆに、蓋板５の蓋板フランジ５ａを被せ、図１に示す発泡合成樹脂製梱包箱１の組立てが完了する。
【００３８】
上記のようにして組立てられた発泡合成樹脂製梱包箱１の外形寸法は、１０９０×５４０×６００ｍｍ、内容量は、２２０リットルであった。
【００３９】
この発泡合成樹脂製梱包箱１を解体する場合には、上記作業の反対の手順を行なえば容易に解体することができ、保管あるいは搬送に際して、スペースを取らない板状部材とすることができる。
【００４０】
以上、本発明に係る発泡合成樹脂製梱包箱の実施の形態を説明したが、本発明は、何ら既述の実施の形態に限定されず、特許請求の範囲に記載した本発明の技術的思想の範囲内において、種々の変形および変更が可能であることは当然である。
【図面の簡単な説明】
【００４１】
【図１】本発明に係る発泡合成樹脂製梱包箱の組立て状態を示した斜視図である。
【図２】本発明に係る発泡合成樹脂製梱包箱の分解状態を示した斜視図である。
【図３】図１におけるＡ−Ａ線に沿う部分の断面図である。
【図４】図１におけるＢ−Ｂ線に沿う部分の断面図である。
【図５】図１におけるＣ−Ｃ線に沿う部分の断面図である。
【図６】図１におけるＤ−Ｄ線に沿う部分の断面図である。
【図７】図１におけるＥ−Ｅ線に沿う部分の断面図である。
【図８】本発明に係る発泡合成樹脂製梱包箱の表面に形成された微細な突起の一例を拡大して示した図であって、（ａ）は平面図、（ｂ）は（ａ）におけるＦ−Ｆ線に沿う部分の拡大断面図である。
【符号の説明】
【００４２】
１      発泡合成樹脂製梱包箱
２      底板
２ａ    底板フランジ
２ｂ    突出片
２ｃ    凹部
３      側板
３ａ    傾斜面
３ｂ    上部端面
３ｃ    下部端面
３ｄ    突出部
３ｅ    下部フランジ
３ｆ    凸部
３ｇ    上部フランジ
３ｈ    端部フランジ
３ｉ    ベルト収容凹条
３ｊ    凹部
３ｋ    凹部
４      端板
４ａ    上部端面
４ｂ    下部端面
４ｃ    傾斜面
４ｄ    下部フランジ
４ｅ    凸部
４ｆ    上部フランジ
４ｇ    端部フランジ
４ｈ    ベルト収容凹条
４ｉ    凹部
４ｊ    凹部
４ｋ    縦溝
５      蓋板
５ａ    蓋板フランジ
５ｂ    凹部
６      ベルト
６ａ    リング
６ｂ    面ファスナー
７      突起
【図１】
0004660360.tif 000002
【図２】
0004660360.tif 000003
【図３】
0004660360.tif 000004
【図４】
0004660360.tif 000005
【図５】
0004660360.tif 000006
【図６】
0004660360.tif 000007
【図７】
0004660360.tif 000008
【図８】
0004660360.tif 000009